(57)【要約】【課題】  シャッターを閉じた際、ユーザーが使用中の場合は電源をオフせず、ユーザーが電源をオフすることを忘れた場合は自動的に電源をオフし、消費電力を低減することを可能にした投射型表示装置を提供すること。【解決手段】  投射光を遮蔽するシャッターを備えた投射型表示装置であって、前記シャッターの状態を検出するシャッター状態検出手段と、前記投射型表示装置の周辺の人を検出する人検出手段と、前記投射型表示装置を制御する制御手段を備え、前記制御手段は、前記シャッター状態検出手段の検出結果と、前記人検出手段の検出結果に応じて、前記投射型表示装置の電源を制御することを特徴とする構成とした。【選択図】  図１
2016166955.tif 000002
【特許請求の範囲】
【請求項１】
投射光を遮蔽するシャッターを備えた投射型表示装置であって、
前記シャッターの状態を検出するシャッター状態検出手段と、
前記投射型表示装置の周辺の人を検出する人検出手段と、
前記投射型表示装置を制御する制御手段を備え、
前記制御手段は、前記シャッター状態検出手段の検出結果と、前記人検出手段の検出結果に応じて、前記投射型表示装置の電源を制御する
ことを特徴とする投射型表示装置。
【請求項２】
前記シャッターが閉まっており、かつ、前記投射型表示装置の周辺に人が存在しない、時間を計測する時間計測手段を備え、
前記制御手段は、前記計測した時間が所定の時間経過した場合、前記投射型表示装置の電源をオフすることを特徴とする請求項１に記載の投射型表示装置。
【請求項３】
前記制御手段は、前記時間計測手段による計測時間の経過とともに、前記投射型表示装置の光源への電力供給量を低下させることを特徴とする請求項２に記載の投射型表示装置。
【請求項４】
前記制御手段は、前記投射型表示装置の電源をオフする前に、電源をオフするメッセージを投射させることを特徴とする請求項２または３に記載の投射型表示装置。
【請求項５】
音声信号を再生する音声出力手段を備え、
前記制御手段は、前記投射型表示装置の電源をオフする前に、電源をオフするメッセージを、前記音声出力手段から出力することを特徴とする請求項２から４のいずれか一項に記載の投射型表示装置。
【請求項６】
前記人検出手段は、前記投射型表示装置に備えた人感センサである
ことを特徴とする請求項１から５のいずれか一項に記載の投射型表示装置。
【請求項７】
前記投射型表示装置が設置された場所の情報を取得する通信手段を備え、
前記情報は、前記投射型表示装置が設置されている場所の入退室情報であり、
前記人検出手段は、前記入退室情報から人を検出する
ことを特徴とする請求項１から５のいずれか一項に記載の投射型表示装置。
【請求項８】
前記投射型表示装置が設置された場所の情報を取得する通信手段を備え、
前記情報は、前記投射型表示装置が設置されている場所に設置された撮像装置の撮像情報であり、
前記人検出手段は、前記撮像情報から人を検出する
ことを特徴とする請求項１から５のいずれか一項に記載の投射型表示装置。
【請求項９】
投射光を遮蔽するシャッターを備えた投射型表示装置であって、
前記シャッターの状態を検出するシャッター状態検出手段と、
前記投射型表示装置が設置された場所の情報を取得する通信手段と、
前記投射型表示装置を制御する制御手段を備え、
前記制御手段は、前記シャッター状態検出手段の検出結果と、前記通信手段が取得した情報に応じて、前記投射型表示装置の電源を制御する
ことを特徴とする投射型表示装置。
【発明の詳細な説明】
【技術分野】
【０００１】
本発明は、投射型表示装置に関し、特に投射型表示装置の電源制御に関するものである。
【背景技術】
【０００２】
会議などで使用される投射型表示装置は、その状況により、投射型表示装置を非表示にする場合がある。
【０００３】
通常、黒画像を表示し、擬似的に非表示とするが、近年、投射型表示装置の高輝度化により、漏れ光などの影響が顕著となり、黒表示時の輝度も上がっている。そのため、非表示としているにもかかわらず、眩しさを感じる恐れがあった。そこで、光路中にシャッターを設け、シャッターを閉じ投射光を遮ることで、非表示とすることができる投射型表示装置が知られている。
【０００４】
しかし、シャッターを閉じて非表示とした場合、ユーザーは投射型表示装置の電源がオンであることに気付きにくいため、使用後、電源をオフすることを忘れてしまうことがあった。
【０００５】
従来、電源をオフすることを忘れても、シャッターを閉じた状態で所定時間経過した場合、自動で電源をオフする技術が開示されている。
【先行技術文献】
【特許文献】
【０００６】
【特許文献１】特開２０１０−１１３２６５号公報
【発明の概要】
【発明が解決しようとする課題】
【０００７】
しかしながら、上述の特許文献に開示された従来技術では、自動で電源をオフにするまでの時間が一律のため、ユーザーが使用中にもかかわらず電源をオフにする場合があった。また、電源をオフすることを忘れた場合、しばらく電源オンが続き、その間無駄な電力を消費してしまうことがあった。
【０００８】
そこで、本発明の目的は、シャッターを閉じた際、ユーザーが使用中の場合は電源をオフすることなく、ユーザーが電源をオフすることを忘れた場合は自動的に電源をオフし、消費電力を低減することを可能にした投射型表示装置を提供することである。
【課題を解決するための手段】
【０００９】
上記目的を達成するために、本発明は、投射光を遮蔽するシャッターを備えた投射型表示装置であって、前記シャッターの状態を検出するシャッター状態検出手段と、前記投射型表示装置の周辺の人を検出する人検出手段と、前記投射型表示装置を制御する制御手段を備え、前記制御手段は、前記シャッター状態検出手段の検出結果と、前記人検出手段の検出結果に応じて、前記投射型表示装置の電源を制御することを特徴とする。
【発明の効果】
【００１０】
本発明によれば、シャッターを閉じた際、ユーザーが使用中の場合は電源をオフすることなく、ユーザーが電源をオフすることを忘れた場合は自動的に電源をオフし、消費電力を低減することを可能にした投射型表示装置を提供することができる。
【図面の簡単な説明】
【００１１】
【図１】第１の実施例、第３の実施例のブロック図
【図２】第１の実施例のセンサ配置の一例
【図３】第１の実施例のフローチャート
【図４】第２の実施例の会議室の模式図
【図５】第２の実施例のブロック図
【図６】第２の実施例のネットワーク概略図
【図７】第２の実施例のフローチャート
【図８】第３の実施例のフローチャート
【発明を実施するための形態】
【００１２】
以下に、本発明の好ましい実施の形態を、添付の図面に基づいて詳細に説明する。
【実施例１】
【００１３】
以下、図１、図２を参照して、本発明の第１の実施例による投射型表示装置について説明する。
【００１４】
図１は本実施例の投射型表示装置の構成を示すブロック図である。
【００１５】
画像信号入力部１０１は、画像信号入力用のインターフェースコネクタを含み、外部から画像信号が入力される。入力された画像信号は、画像信号処理部１０２に出力される。
【００１６】
画像信号処理部１０２は、解像度変換や台形歪み補正、および、明るさ、コントラスト、色合いなどの各種画像処理が行われる。画像信号処理部１０２から出力された画像信号は、パネル駆動部１０３へ出力される。
【００１７】
パネル駆動部１０３は、入力された画像信号に基づいて液晶パネル１０４を駆動する。液晶パネル１０４は、透過型液晶パネルや反射型液晶パネルである。なお、液晶パネル１０４は、ＤＭＤ（Ｄｉｇｉｔａｌ  Ｍｉｒｒｏｒ  Ｄｅｖｉｃｅ）などの光変調素子を用いることもできる。
【００１８】
光源駆動部１０５は、光源１０６の点灯・消灯制御や、光源１０６への電力を制御する。
【００１９】
光源１０６から出射した光は、不図示のパネル照明光学系により液晶パネル１０４に導かれ、液晶パネル１０４によって光変調される。光変調された光は投射レンズ１０７により不図示のスクリーンなどに投射され、画像を表示する。
【００２０】
光路中には投射光を遮蔽可能なシャッター１０８が配置されており、シャッター１０８を閉めることにより投射光を遮ることができる。これにより、黒表示として擬似的に非表示とした場合と比較して、漏れ光の発生を抑えることができる。
【００２１】
シャッター状態検出部１０９は、シャッター１０８の開閉状態を検出し、検出結果をＭＰＵ１１０へ出力する。シャッター状態検出の方法としては、メカニカルスイッチによる検出方法や、発光素子と受光素子を組み合わせた検出方法などを用いることができる。
【００２２】
人検出部１１１は、赤外線センサなどの人感センサであり、人が放出する赤外線を検出し、検出結果をＭＰＵ１１０へ出力する。本実施例では、人検出部１１１を、図２に示すように投射型表示装置の四方に配置することで、投射型表示装置の周辺の人を検出する精度を向上させている。
【００２３】
なお、人検出部１１１は、人を検出できればよく、超音波センサ等を用いることもでき、また、センサの数、その配置は様々な形態を採ることができる。
【００２４】
時間計測部１１２は、ＭＰＵ１１０の制御に基づき時間を計測し、計測結果をＭＰＵ１１０へ出力する。ＭＰＵ１１０は、時間計測部１１２の計測開始／停止や、計測結果のリセットなどの制御を行うことができる。
【００２５】
電源部１１３は、画像信号入力部１０１や、画像信号処理部１０２、パネル駆動部１０３、液晶パネル１０４、光源駆動部１０５など投射型表示装置の各ブロックへ電源を供給する。ＭＰＵ１１０は電源部１１３のオン／オフを制御可能であり、オンすると画像投射状態となり、オフするとスタンバイ状態となる。
【００２６】
音声出力部１１４は、ＭＰＵ１１０から出力された音声信号を再生することができる。
【００２７】
操作部１１５は、投射型表示装置にある不図示の操作ボタンや、不図示のリモコンの操作ボタンから入力されるユーザーの操作指示を、ＭＰＵ１１０へ出力する。ＭＰＵ１１０は、ユーザーの操作指示に応じて、各ブロックを制御する。
【００２８】
なお、シャッター１０８は、ユーザーによる手動操作、操作部１１５からの操作指示などによる電動操作により開閉操作することができる。
【００２９】
次に図３のフローチャートを用いて、本実施例の投射型表示装置のＭＰＵの動作を説明する。
【００３０】
ステップ（図にはＳと記す。以下の実施例においても同様である。）１０１は、検出されたシャッター状態により、投射光を遮蔽しているか否かを判定する。遮蔽している場合はステップ１０２へ、遮蔽していない場合はステップ１１１へ移行する。
【００３１】
ステップ１０２は、人検出部１１１の検出結果により、投射型表示装置の周辺に人が存在するか否かを判定する。人が存在していない場合はステップ１０３へ、人が存在している場合はステップ１１０へ移行する。
【００３２】
ステップ１０３は、シャッターが投射光を遮蔽していると検出し、かつ、投射型表示装置の周辺に人が存在しない状態なので、その状態である時間を計測中か否かを確認する。時間計測中の場合はステップ１０５へ移行し、時間計測を開始していない場合はステップ１０４へ移行し時間計測を開始した後、ステップ１０５へ移行する。
【００３３】
ステップ１０５は、所定時間（例えば、予め１０分に設定）が経過したか否かの判定を行う。所定時間経過していない場合はステップ１０１へ戻り、所定時間経過した場合はステップ１０６へ移行する。なお、所定時間は、操作部１１５から、ユーザーが任意の時間を設定することもできる。
【００３４】
ステップ１０６へ移行した場合、シャッターが投射光を遮蔽していると検出し、かつ、投射型表示装置の周辺に人が存在しない状態が所定時間続いたことになる。これは、会議などが終了し、投射型表示装置の周辺に人が存在しないにもかかわらず、投射型表示装置の電源がオンであることを示している。
【００３５】
したがって、ユーザーが投射型表示装置の電源をオフすることを忘れたと判定し、続くステップ１０６〜１０９により電源をオフする。
【００３６】
ステップ１０６は、時間計測を停止し、続くステップ１０７は、時間計測結果をリセットする。
【００３７】
ステップ１０８は、電動操作可能なシャッターの場合、シャッターを開け、電源オフする旨のメッセージを投射表示させ、投射型表示装置の電源をオフすることを予告する。手動のみ操作可能なシャッターの場合、音声出力部を用い、音声により電源オフする旨のメッセージを出力させ、同様に投射型表示装置の電源をオフすることを予告する。
【００３８】
電動操作可能なシャッターの場合、本実施例では投射表示による予告としたが、音声出力部を用い、音声により電源オフする旨のメッセージを出力してもよい。
【００３９】
ステップ１０９は、電源部をオフにし、投射型表示装置の電源をオフにする。
【００４０】
ステップ１１０は、時間計測中か否かを判定する。時間計測中の場合、続くステップ１１１で時間計測を停止し、さらにステップ１１２で時間計測結果をリセットし、ステップ１０１へ戻る。時間計測をしていない場合はステップ１０１へ戻る。
【００４１】
以上、説明したように、ＭＰＵは、シャッター状態検出部の検出結果と人検出部の検出結果に応じて、つまり、所定の条件において時間計測を開始し、所定の時間経過した場合、投射型表示装置の電源をオフする。
【００４２】
つまり、投射型表示装置の周辺に人が存在していれば、会議などが継続中と判断し、シャッターが投射光を遮蔽していても、使用中の投射型表示装置の電源をオフすることがない。また、シャッターが投射光を遮蔽し、投射型表示装置の周辺に人が存在しない状態が続いた場合、ユーザーが投射型表示装置の電源をオフすることを忘れたと判定し、自動的に電源をオフすることができる。
【実施例２】
【００４３】
以下、図４〜７を参照して、本発明の第２の実施例による投射型表示装置について説明する。
【００４４】
図４は本実施例の投射型表示装置が設置された会議室の模式図である。
【００４５】
会議室３３０内には、投射型表示装置２００と、室内を監視するための監視カメラ３２１が設置されている。また、会議室の出入り口に、入退室を管理するための入退室管理ゲート３１１が設定されており、例えば、入退室管理ゲートに正しいパスコードを入力することにより入退室できる。なお入退室の管理はパスコード方式に限らず、生体認証方式やＩＤカード方式でもよい。
【００４６】
図５は本実施例の投射型表示装置の構成を示すブロック図であり、図６はネットワーク概略図である。
【００４７】
図５における第１の実施例との相違点は、通信部２０１が付加された点である。また、第１の実施例と同じ符号の説明は省略する。
【００４８】
図６に示すように、セキュリティシステム３００は、入退室管理ゲート群３１０と、監視カメラ群３２０と、これらを集中管理する管理部３０１から構成される。入退室管理ゲート群３１０は、各会議室の入退室管理ゲートが接続され、投射型表示装置２００が設置されている会議室３３０に設置された入退室管理ゲート３１１も接続されている。
【００４９】
監視カメラ群３２０は、各会議室に設置された監視カメラが接続され、同様に、投射型表示装置２００が設置されている会議室３３０に設置された監視カメラ３２１も接続されている。
【００５０】
通信部２０１は、ネットワーク（例えば、ＬＡＮ：Ｌｏｃａｌ  Ａｒｅａ  Ｎｅｔｗｏｒｋ）を介して、セキュリティシステム３００に接続され、ＭＰＵ１１０からの指示により、セキュリティシステム３００から情報を取得し、ＭＰＵ１１０へ出力する。
【００５１】
次に図７のフローチャートを用いて、本実施例の投射型表示装置のＭＰＵの動作を説明する。第１の実施例との相違点は、ステップ２０１が付加された点である。また、第１の実施例と同じステップ番号の説明は省略する。
【００５２】
フローチャートの記載は省略するが、セキュリティシステム３００には、投射型表示装置２００が設置されたとき、予め、投射型表示装置２００の設置場所の入退室管理ゲートが３１１、監視カメラが３２１であることが設定されている。
【００５３】
ステップ２０１は、通信部２０１により、セキュリティシステム３００から投射型表示装置２００が設置された入退室管理ゲート３１１の入退室情報、または、監視カメラ３２１の撮像情報を取得し、ステップ１０２へ移行する。
【００５４】
ステップ１０２は、入退室管理ゲートの入退室情報、監視カメラの撮像情報のいずれかの情報、または両方の情報を用いて、投射型表示装置の周辺に人が存在するか否かを判定する。入退室管理ゲートの入退室情報を使用する場合、入退室履歴情報から会議室に人が存在するか否かを判定することができる。監視カメラの撮像情報を使用する場合、例えば、予め、人画像等から人の形状の特徴を抽出しデータベースを作成しておく。撮像画像から特徴を抽出し、データベースとの一致度に応じて、人が存在するか否かを判定することができる。
【００５５】
ステップ１０６へ移行した場合、シャッターが投射光を遮蔽していると検出し、かつ、投射型表示装置の周辺に人が存在しない状態が所定時間続いたことになる。これは、会議などが終了し、投射型表示装置の周辺に人が存在しないにもかかわらず、投射型表示装置の電源がオンであることを示している。
【００５６】
したがって、ユーザーが投射型表示装置の電源をオフすることを忘れたと判定し、第１の実施例と同様に、続くステップ１０６〜１０９により電源をオフする。
【００５７】
以上、説明したように、通信により取得した入退室情報や撮像情報など、外部の情報を用いることで、投射型表示装置にセンサ等を配置しなくても、投射型表示装置の周辺に人が存在するか否かを判定することができる。
【００５８】
本実施例では、投射型表示装置のＭＰＵが、入退室管理ゲートの入退室情報、監視カメラの撮像情報から、人が存在するか否かを判定しているが、セキュリティシステムがその判定をしてもよい。その場合、通信部は、セキュリティシステムが判定した、人が存在するか否かの情報を取得し、ＭＰＵへ出力する。
【実施例３】
【００５９】
以下、図１、図８を参照して、本発明の第３の実施例による投射型表示装置について説明する。
【００６０】
本実施例の投射型表示装置の構成は、第１の実施例と同様のため説明を省略する。
【００６１】
次に図８のフローチャートを用いて、本実施例の投射型表示装置のＭＰＵの動作を説明する。第１の実施例との相違点は、ステップ３０１、ステップ３０２が付加された点である。また、第１の実施例と同じステップ番号の説明は省略する。
【００６２】
ステップ３０１は、計測時間の経過とともに光源駆動部を制御し、光源の電力供給を低下させる。例えば、計測時間が１分経過するごとに光源の電力供給を５％低下させる。ただし、光源の下限の電力供給量の設定が有る場合には、その設定を下限とする。
【００６３】
ステップ３０２は、シャッターが開けられたので、光源駆動部を制御し、光源の電力供給量を予め設定された値にする。これにより、計測時間の経過とともに光源の電力供給量を低下させていても、元の光源の明るさで画像投射することができる。
【００６４】
以上、説明したように第１の実施例に、計測時間の経過とともに光源の電力供給を低下させることで、シャッターへの熱影響を低減するとともに、より低消費電力化を図ることができる。
【００６５】
以上、本発明の好ましい実施形態について説明したが、本発明はこれらの実施形態に限定されず、その要旨の範囲内で種々の変形及び変更が可能である。
【００６６】
例えば、第２の実施例と、第３の実施例を組み合わせることもできる。
【産業上の利用可能性】
【００６７】
本発明は、投射型表示装置の電源制御に有効である。
【符号の説明】
【００６８】
１０１  画像信号入力部
１０２  画像信号処理部
１０３  パネル駆動部
１０４  液晶パネル
１０５  光源駆動部
１０６  光源
１０７  投射レンズ
１０８  シャッター
１０９  シャッター検出部
１１０  ＭＰＵ
１１１  人検出部
１１２  時間計測部
１１３  電源部
１１４  音声出力部
１１５  操作部
【図１】
2016166955.tif 000003
【図２】
2016166955.tif 000004
【図３】
2016166955.tif 000005
【図４】
2016166955.tif 000006
【図５】
2016166955.tif 000007
【図６】
2016166955.tif 000008
【図７】
2016166955.tif 000009
【図８】
2016166955.tif 000010